(57)【要約】【課題】１フレーム期間におけるデータ書き込み期間を短縮しつつ高品質な画像を表示する表示装置及びその駆動方法を提供する。【解決手段】映像信号に基づいて階調表示する表示素子を有する画素が行列状に配置された表示部を備える表示装置の駆動方法であって、連続するｎ（ｎは２以上の整数）行に属する画素に対し、１フレーム期間内に同時に信号書き込みを開始することにより信号書き込みを行う同時書き込みステップと、連続するｎ行以外の行に属する画素に対し、当該１フレーム期間内に行順次に信号書き込みを行う順次書き込みステップとを含む。【選択図】図４
2013174813.tif 000002
【特許請求の範囲】
【請求項１】
映像信号に基づいて階調表示する表示素子を有する画素が行列状に配置された表示部を備える表示装置の駆動方法であって、
連続するｎ（ｎは２以上の整数）行に属する前記画素に対し、１フレーム期間内に同時に信号書き込みを開始することにより前記信号書き込みを行う同時書き込みステップと、
前記連続するｎ行以外の行に属する前記画素に対し、前記１フレーム期間内に行順次に信号書き込みを行う順次書き込みステップとを含む
表示装置の駆動方法。
【請求項２】
前記同時書き込みステップ及び前記順次書き込みステップの前に、
前記同時書き込みステップを実行する期間と、前記順次書き込みステップを実行する期間との合計期間を、前記表示部の行数Ｙから前記ｎを減じて１を加えた数と、クロックパルス周期Ｔｃとの積で表される期間（Ｙ−ｎ＋１）×Ｔｃと等しくなるように設定する
請求項１に記載の表示装置の駆動方法。
【請求項３】
前記１フレーム期間内において、前記映像信号を全ての前記画素に書き込む期間である映像信号書き込み期間と、前記映像信号に基づいた階調表示をさせない一定の信号である非映像信号を全ての前記画素に書き込む期間である非映像信号書き込み期間とを時間的に重畳しないように設定し、
前記同時書き込みステップでは、前記非映像信号書き込み期間において、連続するｎ（ｎは２以上の整数）行に属する前記画素に対し、同時に前記非映像信号の書き込みを開始することにより前記非映像信号の書き込みを行い、
前記順次書き込みステップでは、前記非映像信号書き込み期間において、前記連続するｎ行以外の行に属する前記画素に対し、行順次に前記非映像信号の書き込みを行う
請求項１に記載の表示装置の駆動方法。
【請求項４】
前記ｎ行に属する前記画素に対しては、前記映像信号の書き込みによって開始する階調表示期間の長さに応じて、画素行ごとに前記映像信号の大きさを補正する
請求項１に記載の表示装置の駆動方法。
【請求項５】
映像信号に基づいて階調表示する表示素子を有する画素が行列状に配置された表示部と、
前記映像信号、または、前記映像信号に基づいた階調表示をさせない一定の非映像信号である表示信号を、全ての前記画素に書き込むタイミングを制御するタイミング制御部と、
前記タイミング制御部からの制御信号により、前記表示信号を全ての前記画素に書き込むタイミングを決定する走査信号を前記表示部に出力する走査部と、
前記走査部からの前記走査信号と同期して、前記表示信号を前記表示部に出力する信号出力部とを備え、
前記走査部及び前記信号出力部は、
前記制御信号により、連続するｎ（ｎは２以上の整数）行に属する前記画素に対し、１フレーム期間内に同時に前記走査信号を出力することにより、同時に前記表示信号を書き込み、
前記連続するｎ行以外の行に属する前記画素に対し、前記１フレーム期間内に行順次に前記走査信号を出力することにより、行順次に前記表示信号を書き込む
表示装置。
【請求項６】
前記走査部及び前記信号出力部が、前記連続するｎ行に属する前記画素に対し、前記１フレーム期間内に同時に前記表示信号を書き込む期間と、前記連続するｎ行以外の行に属する前記画素に対し、前記１フレーム期間内に行順次に前記表示信号を書き込む期間との合計期間は、前記表示部の行数Ｙから前記ｎを減じて１を加えた数と、前記走査信号を出力するタイミングに参照されるクロックパルス周期Ｔｃとの積で表される期間（Ｙ−ｎ＋１）×Ｔｃと等しい
請求項５に記載の表示装置。
【請求項７】
さらに、前記ｎ行に属する前記画素に対しては、前記映像信号の書き込みによって開始する階調表示期間の長さに応じて、画素行ごとに前記映像信号の大きさを補正する信号変換部を備える
請求項５に記載の表示装置。
【請求項８】
前記非映像信号は、最低階調の信号である
請求項５に記載の表示装置。
【請求項９】
前記表示素子は、有機エレクトロルミネッセンス素子である
請求項５に記載の表示装置。
【請求項１０】
さらに、
画素行ごとに配置された複数の走査線と、
前記複数の走査線と直交する方向に配置された複数のデータ線とを備え、
前記複数の走査線の各々と前記複数のデータ線の各々との交点に前記画素が配置されており、
前記信号出力部は、前記複数のデータ線のそれぞれに対して、前記映像信号及び前記非映像信号を出力し、
前記走査部は、前記複数の走査線のそれぞれに対して、前記映像走査信号及び前記非映像走査信号を出力する
請求項５に記載の表示装置。
【請求項１１】
前記画素は、さらに、
前記表示素子に電気的に接続され、当該表示素子の発光を決定する駆動素子を備え、
前記非映像信号は、前記駆動素子の動作を停止させる信号である
請求項１０に記載の表示装置。
【発明の詳細な説明】
【技術分野】
【０００１】
本発明は、表示装置及びその駆動方法に関し、特に行順次駆動型の表示装置およびその駆動方法に関する。
【背景技術】
【０００２】
液晶や有機ＥＬディスプレイのような表示装置においては、表示素子を有する画素が行列状に配置されており、画素列ごとに配置されたデータ線及び画素行ごとに配置された走査線を駆動回路が順次走査することにより、全ての画素に対して映像信号に対応した階調表示がなされる。つまり、上記表示装置は、１フレーム期間において、全ての画素に対して順次映像信号を書き換える映像信号書き込み動作と、当該映像信号を反映した表示動作とを実行する。
【０００３】
近年の表示パネルの大面積化及び高精細化により、表示パネルの画素数が増加する傾向にあるが、表示装置には鮮明な画像を表示することが要求される。このためには、定格の１フレーム期間内において、画素数が増えるほど長くなる映像信号書き込み期間に対して、発光期間を確保することが重要となる。また、フレーム間の連続的な画像表示による残像を解消するため、１フレーム期間内に所定の比率で黒画面を挿入し、フレーム間の重なり認識による動画ぼけを軽減するという技術が提案され、実用化されている。
【０００４】
特許文献１では、電源駆動部により１フレーム期間中に電源電圧をレベル変化させて画素全体に同時に当該電源電圧を供給することで全画素を同時発光方式で駆動する有機電界発光表示装置が開示されている。具体的には、走査ステップ（データ書き込みステップ）は走査線毎に順次行われるが、これを除く残りの初期化ステップ、リセットステップ、閾値電圧補償ステップ、発光ステップ及び発光オフ（黒挿入）ステップは、画素全体において同時に一括して行われる。これにより、各画素の駆動トランジスタの閾値電圧の補償及び高速駆動を可能にしている。
【０００５】
また、特許文献２では、１フレーム期間に画像信号と黒信号とを書き込む液晶表示装置が開示されている。具体的には、上記液晶表示装置は、画素行ごとに配置された走査線を行順次にオンさせて画像信号を書き込み、また、複数の走査線を同時にオンさせて黒信号を書き込む表示制御手段と、画像信号を書き込むときの走査線の位置により画像信号を変換して書き込む強調変換手段とを備える。上記強調変換手段により、複数の走査線を同時に黒書き込みすることで発生する上下画素行の輝度差を解消している。
【先行技術文献】
【特許文献】
【０００６】
【特許文献１】特開２０１１−３４０３９号公報
【特許文献２】特開２００５−１２１８０２号公報
【発明の概要】
【発明が解決しようとする課題】
【０００７】
上述した表示装置において、表示パネルの大面積化及び高精細化に対応するには、１フレーム期間における映像信号及び黒挿入信号の画素への書き込み期間を短縮して発光期間及び黒表示期間を確保することが必要となる。
【０００８】
しかしながら、特許文献１に記載された有機電界発光表示装置では、発光動作が映像データ書き込み動作に連続した行順次発光動作ではない一括発光動作のため、発光期間以外の期間で走査ステップにおける書き込み期間を確保する必要がある。よって、１フレーム期間において、発光期間を長く確保するほど映像データ書き込み期間を短くしなければならない。これを実現するため、上記走査ステップにおける映像データの行順次書き込み速度は、発光期間を長く確保するほど高速化しなければならない。
【０００９】
しかし、走査線及びデータ線の寄生容量や抵抗などにより、駆動回路から遠い位置に配置された画素において走査信号及びデータ信号を高精度に伝達するには、所定の書き込み期間を確保する必要がある。これに対して、映像信号書き込みを高速化すると、駆動回路から遠い位置に配置された画素では、伝達された走査信号及びデータ信号の波形のなまりが無視できなくなり、映像信号の書き込み精度の低下が懸念される。従って、映像信号の行順次書き込みを高速化して、映像信号書き込み期間を短縮することは有効ではない。
【００１０】
また、特許文献２に記載された液晶表示装置では、１フレーム期間内における黒挿入信号の書き込み動作において、複数の走査線を同時にオンさせているが、結局、黒挿入信号を全ての画素に書き込む速度は、映像データを行順次に書き込む速度と等速である。よって、上記黒挿入信号書き込み期間は、黒挿入信号を行順次に書き込む場合の期間に比べて短縮されていない。
【００１１】
上記課題に鑑み、本発明は、１フレーム期間におけるデータ書き込み期間を短縮しつつ高品質な画像を表示する表示装置及びその駆動方法を提供することを目的とする。
【課題を解決するための手段】
【００１２】
上記課題を解決するために、本発明の一態様に係る表示装置の駆動方法は、映像信号に基づいて階調表示する表示素子を有する画素が行列状に配置された表示部を備える表示装置の駆動方法であって、連続するｎ（ｎは２以上の整数）行に属する前記画素に対し、１フレーム期間内に同時に信号書き込みを開始することにより前記信号書き込みを行う同時書き込みステップと、前記連続するｎ行以外の行に属する前記画素に対し、前記１フレーム期間内に行順次に信号書き込みを行う順次書き込みステップとを含むことを特徴とする。
【発明の効果】
【００１３】
本発明の表示装置及びその駆動方法によれば、同一データを書き込むための時間を短縮できるので、信号書き込み速度を上げることなく、信号書き込み期間を短縮することが可能となる。
【図面の簡単な説明】
【００１４】
【図１】本発明の実施の形態１に係る表示装置の機能ブロック図である。
【図２】本発明の実施の形態１に係る表示装置の駆動方法を説明する動作フローチャートである。
【図３】本発明の実施の形態１に係る表示部に配置された発光画素の回路構成の一例を示す図である。
【図４】本発明の実施の形態１に係る表示装置の駆動タイミングチャートである。
【図５】本発明の実施の形態２に係る表示装置の駆動タイミングチャートである。
【図６】本発明の実施の形態２に係る表示装置の駆動タイミングチャートである。
【図７】本発明の表示装置を内蔵した薄型フラットＴＶの外観図である。
【発明を実施するための形態】
【００１５】
本発明の実施の形態における表示装置及びその駆動方法について説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００１６】
本発明の一態様に係る表示装置の駆動方法は、映像信号に基づいて階調表示する表示素子を有する画素が行列状に配置された表示部を備える表示装置の駆動方法であって、連続するｎ（ｎは２以上の整数）行に属する前記画素に対し、１フレーム期間内に同時に信号書き込みを開始することにより前記信号書き込みを行う同時書き込みステップと、前記連続するｎ行以外の行に属する前記画素に対し、前記１フレーム期間内に行順次に信号書き込みを行う順次書き込みステップとを含むことを特徴とする。
【００１７】
本態様によると、複数の画素行に対して同一の映像データを書き込む時間を短縮できるので、映像データが単位時間あたりに書き込まれる画素行数に相当する映像データ書き込み速度を上げることなく、高品質な画像を確保した状態で、映像データ書き込み期間を短縮することが可能となる。
【００１８】
また、前記同時書き込みステップ及び前記順次書き込みステップの前に、前記同時書き込みステップを実行する期間と、前記順次書き込みステップを実行する期間との合計期間を、前記表示部の行数Ｙから前記ｎを減じて１を加えた数と、クロックパルス周期Ｔｃとの積で表される期間（Ｙ−ｎ＋１）×Ｔｃと等しくなるように設定してもよい。
【００１９】
本態様によると、（Ｙ−ｎ）行の画素に対して行順次に映像信号電圧が書き込まれる時間は（Ｙ−ｎ）×Ｔｃであり、上記ｎ行の画素に対して同時に映像信号電圧が書き込まれる時間はＴｃであることから、映像データ書き込み期間は、（Ｙ−ｎ＋１）×Ｔｃとなる。これにより、映像データ書き込み期間は、全画素行に対して行順次書き込みを行う場合の書き込み時間Ｙ×Ｔｃよりも、（ｎ−１）×Ｔｃだけ短縮される。
【００２０】
また、前記１フレーム期間内において、前記映像信号を全ての前記画素に書き込む期間である映像信号書き込み期間と、前記映像信号に基づいた階調表示をさせない一定の信号である非映像信号を全ての前記画素に書き込む期間である非映像信号書き込み期間とを時間的に重畳しないように設定し、前記同時書き込みステップでは、前記非映像信号書き込み期間において、連続するｎ（ｎは２以上の整数）行に属する前記画素に対し、同時に前記非映像信号の書き込みを開始することにより前記非映像信号の書き込みを行い、前記順次書き込みステップでは、前記非映像信号書き込み期間において、前記連続するｎ行以外の行に属する前記画素に対し、行順次に前記非映像信号の書き込みを行ってもよい。
【００２１】
本態様によると、１行目からｎ行目への非映像信号の同時書き込み動作により、同一データを書き込むための時間の分だけ書き込み期間を短縮できるので、非映像信号書き込み速度を上げることなく、高品質な画像を確保した状態で、非映像信号書き込み期間を短縮することが可能となる。よって、非映像信号書き込み期間を短縮した分だけ、映像信号書き込み期間を確保できる。
【００２２】
また、前記ｎ行に属する前記画素に対しては、前記映像信号の書き込みによって開始する階調表示期間の長さに応じて、画素行ごとに前記映像信号の大きさを補正してもよい。
【００２３】
あるフレームの映像信号の所定の隣接画素行が同時書き込みされると、その前フレームにおいて当該隣接画素行が行順次書き込みされていた場合に、当該前フレームにおける階調表示期間の長さが、画素行ごとに異なることが想定される。これにより、画素行単位で、映像信号を反映しない輝度差が発生する場合がある。人が視認する輝度は、１フレーム期間に占める発光期間における単位時間あたりの発光輝度の積分量に相当するので、上記輝度補正により、上記輝度差は解消される。
【００２４】
本態様によれば、信号書き込み速度の高速化を抑制しつつ信号書き込み期間を短縮し、映像信号を反映しない輝度差を解消することが可能となる。
【００２５】
なお、本発明は、このような表示装置の駆動方法として実現できるだけでなく、当該駆動方法に含まれる特徴的なステップを手段とする表示装置として実現することもできる。
【００２６】
本発明の一態様に係る表示装置は、映像信号に基づいて階調表示する表示素子を有する画素が行列状に配置された表示部と、前記映像信号、または、前記映像信号に基づいた階調表示をさせない一定の非映像信号である表示信号を、全ての前記画素に書き込むタイミングを制御するタイミング制御部と、前記タイミング制御部からの制御信号により、前記表示信号を全ての前記画素に書き込むタイミングを決定する走査信号を前記表示部に出力する走査部と、前記走査部からの前記走査信号と同期して、前記表示信号を前記表示部に出力する信号出力部とを備え、前記走査部及び前記信号出力部は、前記制御信号により、連続するｎ（ｎは２以上の整数）行に属する前記画素に対し、１フレーム期間内に同時に前記走査信号を出力することにより、同時に前記表示信号を書き込み、前記連続するｎ行以外の行に属する前記画素に対し、前記１フレーム期間内に行順次に前記走査信号を出力することにより、行順次に前記表示信号を書き込むことを特徴とする。
【００２７】
本態様によると、複数の画素行に対して同一の表示データを書き込む時間を短縮できるので、表示データが単位時間あたりに書き込まれる画素行数に相当する表示データ書き込み速度を上げることなく、高品質な画像を確保した状態で、表示データ書き込み期間を短縮することが可能となる。
【００２８】
また、前記走査部及び前記信号出力部が、前記連続するｎ行に属する前記画素に対し、前記１フレーム期間内に同時に前記表示信号を書き込む期間と、前記連続するｎ行以外の行に属する前記画素に対し、前記１フレーム期間内に行順次に前記表示信号を書き込む期間との合計期間は、前記表示部の行数Ｙから前記ｎを減じて１を加えた数と、前記走査信号を出力するタイミングに参照されるクロックパルス周期Ｔｃとの積で表される期間（Ｙ−ｎ＋１）×Ｔｃと等しくてもよい。
【００２９】
本態様によると、（Ｙ−ｎ）行の画素に対して行順次に信号電圧が書き込まれる時間は（Ｙ−ｎ）×Ｔｃであり、上記ｎ行の画素に対して同時に信号電圧が書き込まれる時間はＴｃであることから、表示データ書き込み期間は、（Ｙ−ｎ＋１）×Ｔｃとなる。これにより、表示データ書き込み期間は、全画素行に対して行順次書き込みを行う場合の書き込み時間Ｙ×Ｔｃよりも、（ｎ−１）×Ｔｃだけ短縮される。
【００３０】
また、さらに、前記ｎ行に属する前記画素に対しては、前記映像信号の書き込みによって開始する階調表示期間の長さに応じて、画素行ごとに前記映像信号の大きさを補正する信号変換部を備えてもよい。
【００３１】
本態様によれば、信号書き込み速度の高速化を抑制しつつ信号書き込み期間を短縮し、映像信号を反映しない輝度差を解消することが可能となる。
【００３２】
また、前記非映像信号は、最低階調の信号であってもよい。
【００３３】
これにより、１フレーム期間ごとに黒挿入信号を挿入できるので、動画ぼけを解消することが可能となる。
【００３４】
また、前記表示素子は、有機エレクトロルミネッセンス素子であってもよい。
【００３５】
また、さらに、画素行ごとに配置された複数の走査線と、前記複数の走査線と直交する方向に配置された複数のデータ線とを備え、前記複数の走査線の各々と前記複数のデータ線の各々との交点に前記画素が配置されており、前記信号出力部は、前記複数のデータ線のそれぞれに対して、前記映像信号及び前記非映像信号を出力し、前記走査部は、前記複数の走査線のそれぞれに対して、前記映像走査信号及び前記非映像走査信号を出力してもよい。
【００３６】
本態様によれば、信号出力部から出力された映像信号は、複数のデータ線を介して表示部に供給される。また、映像信号を画素に供給するタイミングを制御する走査信号は、複数の走査線を介して表示部に供給される。
【００３７】
また、前記画素は、さらに、前記表示素子に電気的に接続され、当該表示素子の発光を決定する駆動素子を備え、前記非映像信号は、前記駆動素子の動作を停止させる信号であってもよい。
【００３８】
本態様によれば、行列状に配置された表示素子のそれぞれに、駆動素子が電気的に接続されている。これにより、表示部外に設けられた信号出力部や走査部からの信号に応じて上記駆動素子を制御することにより表示期間を制御することが可能となる。
【００３９】
以下、本発明の好ましい実施の形態を図に基づき説明する。なお、以下では、全ての図を通じて同一又は相当する要素には同じ符号を付して、その重複する説明を省略する。
【００４０】
（実施の形態１）
図１は、本発明の実施の形態１に係る表示装置の機能ブロック図である。同図に記載された表示装置１は、表示部１１と、信号出力部１２と、走査部１３と、タイミング制御部１４と、信号変換部１５と、同時書き込み決定部１６とを備える。
【００４１】
以下、各部の機能及び構成について説明する。
【００４２】
表示部１１は、マトリクス状に配置された複数の発光画素から構成され、各発光画素は表示素子を有する。ここで、表示素子とは、外部入力された映像信号に対応した電気信号により発光する素子であり、例えば、有機エレクトロルミネッセンス（以下、ＥＬと記す。)素子及び液晶素子等が該当する。
【００４３】
同時書き込み決定部１６は、外部から入力された映像信号に基づいて、１フレーム期間において、同一階調を表示すべき隣接画素行を決定する機能を有する。上記隣接画素行とは、映像信号書き込み期間において同一の映像信号電圧を同時に書き込む隣接画素行であり、または、黒挿入信号書き込み期間において黒挿入電圧を同時に書き込む隣接画素行である。同一の映像信号電圧を同時に書き込む隣接画素行とは、例えば、表示モードが映画モードであり表示部１１の上部領域（１行〜ｊ行）及び下部領域（ｋ行〜最下行）が黒表示領域となっている場合（映像表示領域は、（ｊ＋１）行〜（ｋ−１）行）、１〜ｊ番目の画素行及びｋ〜最下の画素行である。ここで、黒挿入信号書き込み期間とは、映像信号に基づいた階調表示をさせない一定の信号である非映像信号を出力させる非映像信号出力期間のことであり、黒挿入信号とは最低階調の信号である。
【００４４】
なお、同時書き込み決定部１６は、映像信号に付加された情報に基づきフレーム単位または映像単位で上記隣接画素行を決定してもよく、また、ユーザ入力情報などに基づき上記隣接画素行を固定値としてもよい。
【００４５】
タイミング制御部１４は、信号出力部１２及び走査部１３を制御する機能を有する。具体的には、タイミング制御部１４は、同時書き込み決定部１６により決定された上記隣接画素行に対して映像信号電圧が同時に書き込まれるよう、信号出力部１２に対して、映像信号を表示部１１へ出力するタイミングを指示する。また、タイミング制御部１４は、走査部１３に対して、信号出力部１２から上記隣接画素行に対して同一の映像信号電圧を同時に出力するタイミング、及び、走査部１３に対して、信号出力部１２から上記隣接画素行以外の画素行に対して当該画素行に対応した映像信号電圧を行順次に出力するタイミングを指示する。
【００４６】
また、１フレーム期間において、黒挿入期間が設けられている場合には、タイミング制御部１４は、同時書き込み決定部１６により決定された上記隣接画素行に対して黒挿入電圧が同時に書き込まれるよう、信号出力部１２に対して、黒挿入信号を表示部１１へ出力するタイミングを指示する。また、タイミング制御部１４は、走査部１３に対して、信号出力部１２から上記隣接画素行に対して黒挿入電圧を同時に出力するタイミング、及び、走査部１３に対して、信号出力部１２から上記隣接画素行以外の画素行に対して黒挿入電圧を行順次に出力するタイミングを指示する。
【００４７】
信号変換部１５は、同時書き込み決定部１６で決定された上記隣接画素行に従い、１フレーム期間のうち映像信号を各画素へ書き込む期間である映像信号書き込み期間に信号出力部１２から映像信号に対応した映像信号電圧を出力するよう、映像信号を変換する。また、１フレーム期間において、黒挿入期間が設けられている場合には、黒挿入信号書き込み期間に信号出力部１２から黒挿入信号に対応した黒挿入電圧を出力するよう、映像信号を変換する。
【００４８】
信号出力部１２は、信号変換部１５で変換された映像信号を表示部１１に出力する機能を有する。また、１フレーム期間において、黒挿入期間が設けられている場合には、信号出力部１２は、信号変換部１５で変換された黒挿入信号も表示部１１に出力する機能を有する。
【００４９】
走査部１３は、上記変換された映像信号のうち、同時書き込み決定部１６で決定された上記隣接画素行に書き込むべき同一の映像信号電圧を、上記隣接画素行に同時に書き込むタイミングを供給する映像走査信号と、また、上記隣接画素行以外の画素行に書き込むべき映像信号電圧を、行順次に書き込むタイミングを供給する映像走査信号とを画素行ごとに表示部１１に出力する機能を有する。また、１フレーム期間において、黒挿入期間が設けられている場合には、上記変換された黒挿入電圧を、上記隣接画素行に同時に書き込むタイミングを供給する黒挿入走査信号と、また、上記隣接画素行以外の画素行に、行順次に黒挿入電圧を書き込むタイミングを供給する黒挿入走査信号とを画素行ごとに表示部１１に出力する機能を有する。
【００５０】
なお、上述したタイミング制御部１４の制御機能は、信号出力部１２及び走査部１３に含まれていてもよい。この場合には、タイミング制御部１４はなくてもよく、信号出力部１２及び走査部１３が各機能を分担する形態、あるいは、信号出力部１２または走査部１３がタイミング制御部１４の全機能を有する形態であってもよい。
【００５１】
次に、上述した構成を有する表示装置１の駆動方法について、その特徴的なステップを中心に説明する。
【００５２】
図２は、本発明の実施の形態１に係る表示装置１の駆動方法を説明する動作フローチャートである。
【００５３】
まず、同時書き込み決定部１６は、外部入力された映像信号等に基づいて、１フレーム期間において、同一階調を表示し、同時書き込みを実行する隣接画素行を決定する（Ｓ１０）。
【００５４】
次に、タイミング制御部１４は、信号出力部１２及び走査部１３に対して、同時書き込み決定部１６で決定された上記隣接画素行に書き込む同一の映像信号電圧を、当該隣接画素行に同時に書き込ませる（Ｓ２０）。ステップＳ２０は、連続するｎ（ｎは２以上の整数）行に属する画素に対し、１フレーム期間内に同時に信号書き込みを開始することにより信号書き込みを行う同時書き込みステップに相当する。
【００５５】
最後に、タイミング制御部１４は、信号出力部１２及び走査部１３に対して、上記隣接画素行以外の各画素行に対応した映像信号電圧を、当該画素行に行順次に書き込ませる（Ｓ３０）。ステップＳ３０は、連続するｎ行以外の行に属する画素に対し、１フレーム期間内に行順次に信号書き込みを行う順次書き込みステップに相当する。
【００５６】
なお、本発明の表示装置の駆動方法は、ステップＳ２０とステップＳ３０との順序を限定しない。表示部１１における上記隣接画素行の位置により、例えば、ステップＳ２０とステップＳ３０とは動作順序が逆となる場合、及び、ステップＳ２０をステップＳ３０の間に複数実行する場合などが想定される。
【００５７】
上述した、同一階調を表示すべき隣接画素行の決定、当該隣接画素行への同時書き込み動作、及び、当該画素行以外の画素行への行順次書き込み動作により、同一データを書き込むための時間を短縮できるので、信号書き込み速度を上げることなく、高品質な画像を確保した状態で、信号書き込み期間を短縮することが可能となる。
【００５８】
次に、表示装置１の画素回路の一例を示し、上述した駆動方法による表示動作を説明する。
【００５９】
図３は、本発明の実施の形態１に係る表示部に配置された発光画素の回路構成の一例を示す図である。同図に記載された表示部１１は、発光画素が行列状に配置され、各発光画素は、駆動トランジスタ１１１と、選択トランジスタ１１２と、有機ＥＬ素子１１３と、コンデンサ１１８と、データ線１１４と、走査線１１５と、正電源線１１６と、負電源線１１７とを備える。駆動トランジスタ１１１のドレイン電極は正電源線１１６に接続され、ソース電極は有機ＥＬ素子１１３のアノードに接続されている。また、選択トランジスタ１１２のドレイン電極はデータ線１１４に、ゲート電極は走査線１１５に、ソース電極は駆動トランジスタ１１１のゲート電極に接続されている。また、コンデンサ１１８は、駆動トランジスタ１１１のゲート電極とソース電極との間に接続されている。また、各画素行に配置された走査線１１５は、図１に記載された走査部１３に接続され、各画素列に配置されたデータ線１１４は、図１に記載された信号出力部１２に接続されている。
【００６０】
上記構成において、走査部１３から走査線１１５に映像走査信号が入力され、選択トランジスタ１１２をオン状態にすると、信号出力部１２からデータ線１１４を介して、映像信号に対応した映像信号電圧がコンデンサ１１８に書き込まれる。また同時に、駆動トランジスタ１１１のゲート電極−ソース電極間に、上記映像信号電圧が印加されることにより駆動素子である駆動トランジスタ１１１のコンダクタンスが変化し、当該映像信号電圧の発光階調に対応した駆動電流が有機ＥＬ素子１１３のアノードに供給され、カソードへと流れる。これにより、有機ＥＬ素子１１３が発光し画像として表示される。つまり、有機ＥＬ素子１１３は、映像信号に基づいて階調表示する表示素子である。
【００６１】
一方、走査部１３から走査線１１５に黒挿入走査信号が入力され、選択トランジスタ１１２をオン状態にすると、信号出力部１２からデータ線１１４を介して、黒挿入信号に対応した黒挿入電圧がコンデンサ１１８に書き込まれる。また同時に、駆動トランジスタ１１１のゲート電極−ソース電極間に、上記黒挿入電圧が印加されることにより駆動トランジスタ１１１がオフ状態となり有機ＥＬ素子１１３に駆動電流が流れなくなる。これにより、有機ＥＬ素子１１３が消光し黒画像が表示される。
【００６２】
なお、選択トランジスタ１１２、駆動トランジスタ１１１は、映像信号の電圧値に応じた駆動電流を有機ＥＬ素子１１３に流すために必要な基本回路構成要素であるが、本実施の形態に係る画素回路は、上述した形態に限定されない。例えば、データ線１１４から供給された信号電圧を保持するコンデンサ１１８は、駆動トランジスタ１１１のゲート電極−ドレイン電極間に接続されてもよい。
【００６３】
図４は、本発明の実施の形態１に係る表示装置の駆動タイミングチャートである。同図において、横軸は時間を表している。また縦方向には、上から順に、走査部１３に設定する行順次開始設定行（括弧内の英数字）、クロック信号ＣＬＫの電圧レベル、１行目、２行目、３行目、ｎ行目、（ｎ＋１）行目、（ｎ＋２）行目、（ｍ−１）行目、ｍ行目、（ｍ＋１）行目、（Ｙ−２）行目、（Ｙ−１）行目、Ｙ行目に配置された走査線１１５の電圧レベルの波形図が示されている。なお、３＜ｎ、（ｎ＋２）＜（ｍ−１）、（ｍ＋１）＜（Ｙ−２）である。
【００６４】
また、図４に記載された駆動タイミングチャートでは、時刻ｔ０１〜時刻ｔ０４のフレーム期間では、全ての画素に対して行順次に映像信号電圧を書き込み、時刻ｔ０４〜時刻ｔ０７のフレーム期間では、１行目の画素行〜ｎ行目の画素行に対して映像信号電圧を同時に書き込み、（ｎ＋１）行以降の画素行に対して映像信号電圧を行順次に書き込んでいる。
【００６５】
以下各時刻での動作を、詳細に説明する。
【００６６】
まず、時刻ｔ０１において、走査部１３は、クロック信号ＣＬＫに同期して走査線１１５（１）の電圧レベルをＬＯＷからＨＩＧＨに変化させ、１行目の選択トランジスタ１１２をＯＮ状態とする。これにより、データ線１１４の時刻ｔ０１における映像信号電圧が１行目の駆動トランジスタ１１１のゲート電極に印加され、当該駆動トランジスタ１１１はＯＮ状態となり、映像信号電圧に応じた駆動電流が１行目の有機ＥＬ素子１１３に流れ始める。
【００６７】
次に、時刻ｔ０２において、走査部１３は、クロック信号ＣＬＫに同期して走査線１１５（１）の電圧レベルをＨＩＧＨからＬＯＷに変化させ、１行目の選択トランジスタ１１２をＯＦＦ状態とする。このとき、１行目の駆動トランジスタ１１１のゲート電極には、時刻ｔ０１以降のコンデンサ１１８への充電により、映像信号電圧に対応した電圧が保持されている。これにより、１行目に配置された発光画素は、映像信号電圧に応じた輝度での発光動作を開始する。
【００６８】
また同時に、時刻ｔ０２において、走査部１３は、クロック信号ＣＬＫに同期して走査線１１５（２）の電圧レベルをＬＯＷからＨＩＧＨに変化させ、２行目の選択トランジスタ１１２をＯＮ状態とする。これにより、データ線１１４の時刻ｔ０２における映像信号電圧が２行目の駆動トランジスタ１１１のゲート電極に印加され、当該駆動トランジスタ１１１はＯＮ状態となり、映像信号電圧に応じた駆動電流が２行目の有機ＥＬ素子１１３に流れ始める。また、同時に、２行目のコンデンサ１１８への、上記映像信号電圧による充電が開始される。
【００６９】
上述した時刻ｔ０２における、走査線１１５（１）のＨＩＧＨ→ＬＯＷと走査線１１５（２）のＬＯＷ→ＨＩＧＨとの同時動作が、走査線１１５（２）〜走査線１１５（Ｙ）おいても、クロック周期Ｔｃの間隔にて実行される。これにより、時刻ｔ０１〜時刻ｔ０４のフレーム期間では、全ての画素に対して行順次に映像信号電圧が書き込まれる。ここで、行順次に映像信号電圧を書き込む時刻ｔ０１〜時刻ｔ０４の期間は、クロック信号ＣＬＫの周期をＴｃ、表示部１１の画素行数をＹとすると、Ｙ×Ｔｃとなる。また、各画素行への書き込みに続いて有機ＥＬ素子１１３の発光が開始される。つまり、行順次書き込みと行順次発光とが連続して実行される。
【００７０】
次に、映像信号電圧の同時書き込みと映像信号電圧の行順次書き込みとが実行される時刻ｔ０４〜時刻ｔ０７のフレーム期間について説明する。
【００７１】
時刻ｔ０４において、走査部１３は、クロック信号ＣＬＫに同期して走査線１１５（１）〜走査線１１５（ｎ）の電圧レベルを、一斉に、ＬＯＷからＨＩＧＨに変化させ、１行目〜ｎ行目の選択トランジスタ１１２をＯＮ状態とする。これにより、データ線１１４の時刻ｔ０４における映像信号電圧が１行目〜ｎ行目の駆動トランジスタ１１１のゲート電極に一斉に印加され、当該駆動トランジスタ１１１はＯＮ状態となり、映像信号電圧に応じた駆動電流が１行目〜ｎ行目の有機ＥＬ素子１１３に流れ始める。なお、走査部１３は、任意の画素行数の隣接画素行に対して同時にＨＩＧＨの電圧レベルを出力する機能を有している。
【００７２】
次に、時刻ｔ０５において、走査部１３は、クロック信号ＣＬＫに同期して走査線１１５（１）〜走査線１１５（ｎ）の電圧レベルをＨＩＧＨからＬＯＷに変化させ、１行目〜ｎ行目の選択トランジスタ１１２を一斉にＯＦＦ状態とする。このとき、１行目〜ｎ行目の駆動トランジスタ１１１のゲート電極には、時刻ｔ０４以降のコンデンサ１１８への充電により、映像信号電圧に対応した電圧が保持されている。これにより、１行目〜ｎ行目に配置された発光画素は、同一の映像信号電圧に応じた輝度での発光動作を一斉に開始する。なお、走査部１３は、任意の画素行数の隣接画素行に対して同時にＬＯＷの電圧レベルを出力する機能を有している。
【００７３】
また同時に、時刻ｔ０５において、走査部１３は、クロック信号ＣＬＫに同期して走査線１１５（ｎ＋１）の電圧レベルをＬＯＷからＨＩＧＨに変化させ、（ｎ＋１）行目の選択トランジスタ１１２をＯＮ状態とする。これにより、データ線１１４の時刻ｔ０５における映像信号電圧が（ｎ＋１）行目の駆動トランジスタ１１１のゲート電極に印加され、当該駆動トランジスタ１１１はＯＮ状態となり、当該映像信号電圧に応じた駆動電流が（ｎ＋１）行目の有機ＥＬ素子１１３に流れ始める。また、同時に、（ｎ＋１）行目のコンデンサ１１８への、上記映像信号電圧による充電が開始される。
【００７４】
次に、時刻ｔ０６において、走査部１３は、クロック信号ＣＬＫに同期して走査線１１５（ｎ＋１）の電圧レベルをＨＩＧＨからＬＯＷに変化させ、（ｎ＋１）行目の選択トランジスタ１１２をＯＦＦ状態とする。このとき、（ｎ＋１）行目の駆動トランジスタ１１１のゲート電極には、時刻ｔ０５以降のコンデンサ１１８への充電により、映像信号電圧に対応した電圧が保持されている。これにより、（ｎ＋１）行目に配置された発光画素は、上記映像信号電圧に応じた輝度での発光動作を開始する。
【００７５】
また同時に、時刻ｔ０６において、走査部１３は、クロック信号ＣＬＫに同期して走査線１１５（ｎ＋２）の電圧レベルをＬＯＷからＨＩＧＨに変化させ、（ｎ＋２）行目の選択トランジスタ１１２をＯＮ状態とする。これにより、データ線１１４の時刻ｔ６における映像信号電圧が（ｎ＋２）行目の駆動トランジスタ１１１のゲート電極に印加され、当該駆動トランジスタ１１１はＯＮ状態となり、映像信号電圧に応じた駆動電流が（ｎ＋２）行目の有機ＥＬ素子１１３に流れ始める。また、同時に、（ｎ＋２）行目のコンデンサ１１８への、上記映像信号電圧による充電が開始される。
【００７６】
上述した時刻ｔ０６における、走査線１１５（ｎ＋１）のＨＩＧＨ→ＬＯＷと走査線１１５（ｎ＋２）のＬＯＷ→ＨＩＧＨとの同時動作が、走査線１１５（ｎ＋２）〜走査線１１５（Ｙ）おいても、クロック周期Ｔｃの間隔にて実行される。
【００７７】
以上のように、時刻ｔ０４〜時刻ｔ０７のフレーム期間では、１行目〜ｎ行目の画素に対して同時書き込みが実行され、一方、（ｎ＋１）行目〜Ｙ行目の画素では行順次に映像信号電圧が書き込まれる。ここで、（ｎ＋１）行目〜Ｙ行目の画素に対して行順次に映像信号電圧が書き込まれる時間は（Ｙ−ｎ）×Ｔｃであり、１行目〜ｎ行目の画素に対して同時に映像信号電圧が書き込まれる時間はＴｃであることから、時刻ｔ０４〜時刻ｔ０７の期間は、（Ｙ−ｎ＋１）×Ｔｃとなる。
【００７８】
ここで、時刻ｔ０１〜時刻ｔ０７において、クロック信号ＣＬＫの周期Ｔｃは一定であることから、時刻ｔ０１〜時刻ｔ０４のフレーム期間における１行目〜Ｙ行目の画素への行順次書き込み速度と、時刻ｔ０４〜時刻ｔ０７のフレーム期間における（ｎ＋１）行目〜Ｙ行目の画素への行順次書き込み速度とは等しい。また、時刻ｔ０４〜時刻ｔ０７のフレーム期間は、時刻ｔ０１〜時刻ｔ０４のフレーム期間よりも、（ｎ−１）×Ｔｃだけ短縮されている。行順次書き込み速度とは、走査部１３が走査信号を各画素に出力するときの画素行間の速さであり、映像信号または黒挿入信号が単位時間あたりに書き込まれる画素行数に相当する。
【００７９】
これにより、１行目からｎ行目への同一データを書き込むための時間の分だけ書き込み期間を短縮できるので、映像信号書き込み速度を上げることなく、高品質な画像を確保した状態で、映像信号書き込み期間を短縮することが可能となる。
【００８０】
また、あるフレーム期間において、全ての画素に対して一斉に同一の信号電圧を書き込む方式の場合、前段フレームでの発光期間が最上行の画素と最下行の画素行とで極端に異なるため、人が視認できるほどの極端な輝度差が発生してしまう場合が想定される。これに対し、本実施の形態に係る表示装置の駆動方法は、１フレーム期間において、隣接画素行に対する映像信号電圧の同時書き込みと、当該隣接画素行以外の画素行に対する行順次書き込みとを含むので、上述したような極端な輝度差を発生させない程度に、上記同時書き込みをすべき隣接画素行の画素行数を調整することが可能である。
【００８１】
なお、本実施の形態に係る表示装置１の駆動方法は、時刻ｔ０４〜時刻ｔ０７のフレーム期間において、１行目〜ｎ行目の画素に対して同時書き込みを実行する例を紹介したが、同時書き込みをする画素行はこれに限られない。例えば、最上行でなく途中の画素行からの隣接画素行において同時書き込みを実行してもよい。また、上記同時書き込みは、１フレーム期間において１回に限定されず、複数回実行してもよい。ここで、例えば、１フレーム期間において、隣接するｎ１行にわたり同時書き込みが行われ、行順次書き込みの後、再び隣接するｎ２行にわたり同時書き込みが行われ、という様に、隣接するｎｋ（ｋ＝１〜ｐ）行にわたる同時書き込みがｐ回行われたとする。この場合には、上記１フレーム期間は、
（Ｙ−（ｎ１＋・・・＋ｎｐ）＋ｐ）×Ｔｃ
となる。
【００８２】
また、本実施の形態に係る表示装置１の駆動方法は、映像信号表示期間が連続的に繰り返される表示方式に関するものであるが、映像信号表示期間の間に黒挿入表示期間が設けられている方式にも適用可能である。この場合には、本実施の形態のように、映像信号の書き込みについて隣接画素行に同時書き込みをしてもよいし、黒挿入信号の書き込みについて隣接画素行に同時書き込みをしてもよい。
【００８３】
（実施の形態２）
本実施の形態では、走査部１３がシフトレジスタで構成されており、黒挿入期間において黒挿入電圧を隣接画素行に対して同時書き込みする場合の駆動方法を説明する。なお、本実施の形態に係る表示装置は、図１に記載された実施の形態１に係る表示装置１と構成は同じである。以下、本実施の形態に係る表示装置の駆動方法について、実施の形態１に係る表示装置１の駆動方法と異なる点を中心に説明する。
【００８４】
走査部１３は、上記隣接画素行に一括して同時に書き込むタイミングを供給する黒挿入走査信号と、また、上記隣接画素行以外の画素行に、行順次に黒挿入電圧を書き込むタイミングを供給する黒挿入走査信号とを画素行ごとに表示部１１に出力する機能を有する。走査部１３は、シフトレジスタで構成され、当該シフトレジスタが上記黒挿入走査信号を画素行ごとに出力する。上記シフトレジスタはタイミング制御部１４に接続され、例えば、ほぼ同一の回路構成からなる複数の単位回路がカスケード接続されており、各単位回路は上段の単位回路の出力信号を入力信号とし、出力信号は下段の単位回路の入力信号となっている。また、クロック信号発生器からの出力であるクロック信号ＣＬＫが、各単位回路に供給される。この構成により、各単位回路は、対応する走査線１１５に対して黒挿入走査信号を出力する。また、上記シフトレジスタには、タイミング制御部１４からリセット信号ＲＳＴが供給された場合に、各単位回路から出力される黒挿入走査信号の電圧レベルを一斉にＬＯＷとする。
【００８５】
図５は、本発明の実施の形態２に係る表示装置の駆動タイミングチャートである。同図において、横軸は時間を表している。また縦方向には、上から順に、行順次開始設定行（括弧内の英数字）、クロック信号ＣＬＫの電圧レベル、リセット信号ＲＳＴの電圧レベル、１行目、２行目、３行目、ｎ行目、（ｎ＋１）行目、（ｎ＋２）行目、（ｍ−１）行目、ｍ行目、（ｍ＋１）行目、（Ｙ−２）行目、（Ｙ−１）行目、Ｙ行目に配置された走査線１１５の電圧レベルの波形図が示されている。なお、３＜ｎ、（ｎ＋２）＜（ｍ−１）、（ｍ＋１）＜（Ｙ−２）である。
【００８６】
また、図５に記載された駆動タイミングチャートでは、時刻ｔ１１〜時刻ｔ１４の映像信号書き込み期間では、全ての画素に対して行順次に映像信号電圧を書き込み、時刻ｔ１４〜時刻ｔ１９の黒挿入信号書き込み期間では、１行目の画素行〜ｎ行目の画素行に対して黒挿入電圧を一括して同時に書き込み、（ｎ＋１）行以降の画素行に対して黒挿入電圧を行順次に書き込んでいる。
【００８７】
以下、時刻ｔ１４〜時刻ｔ１９の黒挿入信号書き込み期間での動作を詳細に説明する。
【００８８】
時刻ｔ１４において、走査部１３は、クロック信号ＣＬＫに同期して走査線１１５（１）〜走査線１１５（ｎ）の電圧レベルを、一斉に、ＬＯＷからＨＩＧＨに変化させ、１行目〜ｎ行目の選択トランジスタ１１２をＯＮ状態とする。これにより、データ線１１４の時刻ｔ１４における黒挿入電圧が１行目〜ｎ行目の駆動トランジスタ１１１のゲート電極に一斉に印加され、当該駆動トランジスタ１１１はＯＦＦ状態となり、１行目〜ｎ行目の有機ＥＬ素子１１３の駆動電流は停止する。なお、走査部１３のシフトレジスタは、タイミング制御部１４からの制御信号により、任意の画素行数の隣接画素行に対して同時にＨＩＧＨの電圧レベルを出力する。
【００８９】
次に、時刻ｔ１５において、走査部１３は、クロック信号ＣＬＫに同期して走査線１１５（１）の電圧レベルをＨＩＧＨからＬＯＷに変化させ、１行目の選択トランジスタ１１２をＯＦＦ状態とする。このとき、１行目〜ｎ行目の駆動トランジスタ１１１のゲート電極には、時刻ｔ１４以降のコンデンサ１１８への充電により、黒挿入信号電圧に対応した電圧が保持されている。これにより、１行目〜ｎ行目に配置された発光画素は、同一の黒挿入信号電圧に応じて消光（黒表示）動作を一斉に開始する。なお、走査部１３のレベルシフタが有する１段目の単位回路はクロック信号ＣＬＫに同期して、１行目の画素に対してＬＯＷの電圧レベルを出力する。
【００９０】
また同時に、時刻ｔ１５において、走査部１３は、クロック信号ＣＬＫに同期して走査線１１５（ｎ＋１）の電圧レベルをＬＯＷからＨＩＧＨに変化させ、（ｎ＋１）行目の選択トランジスタ１１２をＯＮ状態とする。これにより、データ線１１４の時刻ｔ１５における黒挿入電圧が（ｎ＋１）行目の駆動トランジスタ１１１のゲート電極に印加され、当該駆動トランジスタ１１１はＯＦＦ状態となり、（ｎ＋１）行目の有機ＥＬ素子１１３の駆動電流は停止する。
【００９１】
次に、時刻ｔ１６において、走査部１３は、クロック信号ＣＬＫに同期して走査線１１５（２）の電圧レベルをＨＩＧＨからＬＯＷに変化させ、２行目の選択トランジスタ１１２をＯＦＦ状態とする。このとき、既に、１行目〜ｎ行目の駆動トランジスタ１１１のゲート電極には、時刻ｔ１４以降のコンデンサ１１８への充電により、黒挿入信号電圧に対応した電圧が保持されており１行目〜ｎ行目の有機ＥＬ素子１１３は消光（黒表示）状態を維持している。なお、走査部１３のレベルシフタが有する２段目の単位回路はクロック信号ＣＬＫに同期し、また、時刻ｔ１５における１段目の単位回路の出力信号を入力信号として、２行目の画素に対してＬＯＷの電圧レベルを出力する。
【００９２】
時刻ｔ１６以降、走査部１３は、クロック周期Ｔｃの間隔で順次、走査線１１５（２）〜走査線１１５（ｎ）の電圧レベルをＨＩＧＨからＬＯＷに変化させる。なお、この間、走査部１３のレベルシフタが有するｋ段目（２≦ｋ≦ｎ）の単位回路はクロック信号ＣＬＫに同期し、また、１クロック前の時刻における（ｋ−１）段目の単位回路の出力信号を入力信号として、ｋ行目の画素に対してＬＯＷの電圧レベルを出力する。
【００９３】
つまり、１行目〜ｎ行目の走査線１１５に対して、走査部１３は、時刻ｔ１４において一斉にＨＩＧＨレベルの電圧を出力し、時刻ｔ１５以降は、行順次にＬＯＷレベルの電圧を出力する。これにより、走査線１１５（ｎ）には、ｎ×Ｔｃをパルス幅とする黒挿入走査信号が出力される。
【００９４】
また、時刻ｔ１６において、走査部１３は、クロック信号ＣＬＫに同期して走査線１１５（ｎ＋２）の電圧レベルをＬＯＷからＨＩＧＨに変化させ、（ｎ＋２）行目の選択トランジスタ１１２をＯＮ状態とする。これにより、データ線１１４の時刻ｔ１６における黒挿入電圧が（ｎ＋２）行目の駆動トランジスタ１１１のゲート電極に印加され、当該駆動トランジスタ１１１はＯＦＦ状態となり、（ｎ＋２）行目の有機ＥＬ素子１１３の駆動電流は停止する。
【００９５】
時刻ｔ１６以降、走査部１３は、クロック周期Ｔｃの間隔で順次、走査線１１５（ｎ＋２）〜走査線１１５（Ｙ）の電圧レベルをＬＯＷからＨＩＧＨに変化させる。これにより、（ｎ＋２）行目〜Ｙ行目の選択トランジスタ１１２を行順次にＯＮ状態とする。よって、（ｎ＋１）行目〜Ｙ行目に配置された発光画素は、黒挿入信号電圧に応じて消光（黒表示）動作を行順次に開始する。なお、この間、走査部１３のレベルシフタが有するｋ段目（ｎ＋１≦ｋ≦Ｙ）の単位回路はクロック信号ＣＬＫに同期し、また、１クロック前の時刻における（ｋ−１）段目の単位回路の出力信号を入力信号として、ｋ行目の画素に対してＨＩＧＨの電圧レベルを出力する。
【００９６】
（ｎ＋１）行目〜Ｙ行目の走査線１１５に対して、走査部１３は、時刻ｔ１５以降ＨＩＧＨレベルの電圧を行順次に出力する。また、走査部１３は、時刻ｔ１９までＬＯＷレベルの電圧を行順次に出力する。これにより、走査線１１５（ｎ＋１）〜走査線１１５（ｍ＋１）には、ｎ×Ｔｃをパルス幅とする黒挿入走査信号が出力される。（ｍ＋２）行目以降の画素行についても、走査線１１５から行順次にＨＩＧＨレベルの黒挿入走査信号が出力されることにより、行順次に黒挿入信号が書き込まれる。ここで、時刻ｔ１９において、タイミング制御部１４は、走査部１３に対しリセット信号ＲＳＴを出力することにより、走査線１１５（ｍ＋２）〜走査線１１５（Ｙ）における黒挿入走査信号を一斉にＬＯＷレベルにする。これにより、時刻ｔ１４〜時刻ｔ１９において、全ての画素に対して黒挿入電圧が書き込まれる。
【００９７】
以上のように、１行目〜ｎ行目の黒挿入信号が一斉に書き込まれ、（ｍ＋２）行目以降の黒挿入走査信号が一斉にオフ状態とされることにより、時刻ｔ１４〜時刻ｔ１９の期間は、（Ｙ−ｎ＋１）×Ｔｃとなる。よって、時刻ｔ１４〜時刻ｔ１９の黒挿入信号書き込み期間は、時刻ｔ１１〜時刻ｔ１４の映像信号書き込み期間よりも、（ｎ−１）×Ｔｃだけ短縮されている。
【００９８】
これにより、１行目からｎ行目への黒挿入信号の同時書き込み動作により、同一データを書き込むための時間の分だけ書き込み期間を短縮できるので、黒挿入信号書き込み速度を上げることなく、高品質な画像を確保した状態で、黒挿入信号書き込み期間を短縮することが可能となる。また、黒挿入信号書き込み期間を短縮した分だけ、映像信号書き込み期間を確保することが可能となる。
【００９９】
また、あるフレーム期間において、全ての画素に対して一斉に同一の黒信号電圧を書き込む方式の場合、前段フレームでの発光期間が最上行の画素と最下行の画素行とで極端に異なるため、人が視認できるほどの極端な輝度差が発生してしまう場合が想定される。これに対し、本実施の形態に係る表示装置の駆動方法は、黒挿入信号書き込み期間において、隣接画素行に対する黒挿入電圧の同時書き込みと、当該隣接画素行以外の画素行に対する行順次書き込みとを含むので、上述したような極端な輝度差を発生させない程度に、上記同時書き込みをすべき隣接画素行の画素行数を調整することが可能である。
【０１００】
なお、本実施の形態に係る表示装置の駆動方法は、時刻ｔ１４〜時刻ｔ１９のフレーム期間において、１行目〜ｎ行目の画素に対して同時書き込みを実行する例を紹介したが、同時書き込みをする画素行はこれに限られない。例えば、最上行でなく途中の画素行からの隣接画素行において同時書き込みを実行してもよい。また、上記同時書き込みは、黒挿入信号書き込み期間において１回に限定されず、複数回実行してもよい。
【０１０１】
また、本実施の形態に係る表示装置の駆動方法は、１フレーム期間において、映像信号電圧を各発光画素へ書き込む映像信号書き込み期間と、黒挿入電圧を各発光画素へ書き込む非映像信号書き込み期間とが時間的に重畳しない駆動方法であれば適用される。例えば、表示部１１を上下に２分割し、上部領域の各発光画素に行順次書き込み及び同時書き込みすると同時に、下部領域の各発光画素にも行順次書き込み及び同時書き込みするような駆動方法が挙げられる。
【０１０２】
（実施の形態３）
実施の形態１及び２では、行順次書き込みを行う画素行と同時書き込みを行う画素行との間で、映像信号書き込みの開始から次フレームの映像信号書きこみの開始までの発光期間、または、映像信号書き込みの開始から非映像信号の書き込みの開始までの発光期間の長さが、画素行ごとに異なることが想定される。例えば、実施の形態１のように、あるフレーム期間において１行目〜ｎ行目では同時行順次書き込みをし（ｎ＋１）行目〜Ｙ行目では行順次書き込みをする場合、図４に示されるように、当該フレーム期間の前フレーム期間では、画素行１行目からｎ行目へと向かうにつれ、発光期間が短くなる。この場合には、表示部１１の１行目〜ｎ行目において、映像信号を反映しない輝度差が発生する場合がある。
【０１０３】
本実施の形態では、信号書き込み速度の高速化を抑制しつつ信号書き込み期間を短縮し、これにより想定される、上記輝度差を解消することが可能な表示装置の駆動方法について説明する。ここで、実施の形態３に係る表示装置は、実施の形態１に係る表示装置１と構成は同じであり、駆動方法のみが異なる。以下、実施の形態１と同じ点は説明を省略し、実施の形態１と異なる点のみ図６を用いて説明する。
【０１０４】
図６は本発明の実施の形態３に係る表示装置の駆動タイミングチャートである。同図において、横軸は時間を表している。また縦方向には、上から順に、行順次開始設定行（括弧内の英数字）、クロック信号ＣＬＫの電圧レベル、１行目、２行目、ｎ行目、（ｎ＋１）行目、（ｎ＋２）行目、（Ｙ−１）行目、Ｙ行目に配置された走査線１１５の電圧レベル及び輝度の波形図が示されている。なお、２＜ｎ、（ｎ＋２）＜（Ｙ−１）である。
【０１０５】
図６に記載された駆動タイミングチャートにおいて、上述した書き込み方式の差により、１行目の発光期間Ｔ１が、ｎ行目の発光期間Ｔｎよりも長くなっている。これに対応して、ｎ行目の発光期間における輝度レベルＬＤｎを、１行目の発光期間における輝度レベルＬＤ１よりも高くしている。つまり、１行目〜ｎ行目において、画素行間における発光期間の差に応じて、単位時間の発光輝度を傾斜変換している。一方、ｎ行目〜Ｙ行目では、フレーム間で共通の映像信号書きこみ速度により行順次書き込みが実行されるので、発光期間は同一である。よって、ｎ行目〜Ｙ行目では、単位時間の発光輝度を傾斜変換していない。
【０１０６】
具体的には、信号変換部１５は、同時書き込み決定部１６で決定された同時書き込みする隣接画素行、及び、タイミング制御部１４で設定された映像信号書き込み速度に応じて、映像信号電圧の大きさを画素行ごとに補正して信号出力部１２へと出力している。例えば、信号変換部１５は、１行目からｎ行目へと近づくにつれ、画素行の映像信号電圧を増加する補正を行う。また、信号変換部１５は、ｎ行目からＹ行目では、画素行の映像信号電圧にｎ行目と同量の補正を行う。あるいは、信号変換部１５は、隣接する複数の画素行を１ブロックとした場合に、１行目からｎ行目へと近づくにつれ、ブロック単位で映像信号電圧を増加する補正を行う。  つまり、上記隣接画素行に属する画素に対しては、映像信号の書き込みによって開始する階調表示期間の長さに応じて、画素行ごとに映像信号電圧の大きさを補正する。
【０１０７】
人が視認する輝度は、１フレーム期間に占める発光期間における単位時間あたりの発光輝度の積分量に相当するので、上記輝度補正により、１行目の発光画素とｎ行目の発光画素との間で、映像信号を反映しない輝度差は解消される。
【０１０８】
これにより、映像信号書き込み速度の高速化を抑制しつつ映像信号書き込み期間を短縮し、これにより想定される、映像信号を反映しない輝度差を解消することが可能となる。
【０１０９】
なお、信号変換部１５は、同時書き込み決定部１６により決定された同時書き込みする画素行数に応じて輝度差を解消する映像信号電圧の補正値を決定するが、上記同時書き込みする画素数が大きくなると、信号出力部１２から出力される映像信号電圧の制限値を超えなければ、上述した輝度差を解消できない場合が想定される。このような場合に対応するため、タイミング制御部１４は、信号出力部１２の信号電圧出力可能範囲に基づいて、同時書き込みする画素の設定を制限してもよい。つまり、同時書き込み決定部１６により決定された画素数は、タイミング制御部１４により制限されてもよい。これによれば、映像信号を反映しない輝度差を確実に解消することが可能となる。
【０１１０】
以上、実施の形態１〜３に基づいて本発明に係る表示装置及びその駆動方法を説明してきたが、本発明の表示装置及びその駆動方法は、上述した実施の形態１〜３に限定されるものではない。実施の形態１〜３における任意の構成要素を組み合わせて実現される別の実施の形態や、実施の形態１〜３に対して本発明の主旨を逸脱しない範囲で当業者が思いつく各種変形を施して得られる変形例や、本発明に係る表示装置を内蔵した各種機器も本発明に含まれる。
【０１１１】
例えば、実施の形態３に係る表示装置の駆動方法を、実施の形態２に係る表示装置の駆動方法に適用してもよい。つまり、走査部１３がシフトレジスタで構成された場合において、１フレーム期間に同時書き込みと行順次書き込みとが併存する場合であっても、同時書き込みする画素行間において映像信号電圧を傾斜変換してもよい。
【０１１２】
また、実施の形態２において、映像信号に応じた発光をしない非映像信号として黒挿入信号を採用しているが、当該非映像信号は、最低階調の映像信号データに限られない。
【０１１３】
また、以上述べた実施の形態では、選択トランジスタ及び駆動トランジスタのゲートの電圧レベルがＨＩＧＨの場合にオン状態になるｎ型トランジスタとして記述しているが、これらをｐ型トランジスタで形成し、走査信号電圧及び映像信号電圧の極性を反転させた画像表示装置でも、上述した各実施の形態と同様の効果を奏する。
【０１１４】
また、例えば、本発明に係る表示装置は、図７に記載されたような薄型フラットＴＶに内蔵される。本発明に係る表示装置が内蔵されることにより、映像データ書き込みの高速化を抑制しつつ映像データ書き込み期間が短縮化された薄型フラットＴＶが実現される。
【産業上の利用可能性】
【０１１５】
本発明は、行順次駆動型の表示装置に有用であり、特に、高品質な動画像が要求されるアクティブ型の有機ＥＬフラットパネルディスプレイに有用である。
【符号の説明】
【０１１６】
１    表示装置
１１    表示部
１２    信号出力部
１３    走査部
１４    タイミング制御部
１５    信号変換部
１６    同時書き込み決定部
１１０    発光画素
１１１    駆動トランジスタ
１１２    選択トランジスタ
１１３    有機ＥＬ素子
１１４    データ線
１１５    走査線
１１６    正電源線
１１７    負電源線
１１８    コンデンサ
【図１】
2013174813.tif 000003
【図２】
2013174813.tif 000004
【図３】
2013174813.tif 000005
【図４】
2013174813.tif 000006
【図５】
2013174813.tif 000007
【図６】
2013174813.tif 000008
【図７】
2013174813.tif 000009